【手続補正書】
【提出日】平成19年11月14日(2007.11.14)
【手続補正１】
【補正対象書類名】明細書
【補正対象項目名】特許請求の範囲
【補正方法】変更
【補正の内容】
【特許請求の範囲】
【請求項１】
光結合器（２０５）が特定の電力定格を越えることを防止する回路であって、
フォトトランジスタ（Ｑ１）のコレクタを該フォトトランジスタに対する電源（Ｖｓｓ）に接続する抵抗分割器（Ｒｄ）と、
電力供給部（Ｖｄｄ）を前記電源（Ｖｓｓ）と前記抵抗分割器（Ｒｄ）とに接続するヒューズ（Ｆ１）と、
前記ヒューズと、前記フォトトランジスタの電源（Ｖｓｓ）と前記抵抗分割器との間に接続されたヒューズ抵抗（ＲＦ）と、
カソードが前記ヒューズ抵抗（ＲＦ）及び前記ヒューズ（Ｆ１）と直列に前記電源（Ｖｓｓ）に対して接続されたダイオード（Ｚ１）と、
前記ダイオード（Ｚ１）のアノードと直接に接続され且つ前記フォトトランジスタのエミッタと接地との間に直接接続された出力抵抗（Ｒｏ）と、
を備え、前記フォトトランジスタのエミッタ電流が前記抵抗（Ｒｏ）において出力信号（Ｖｏ）を生成する回路（２００）。
【請求項２】
前記フォトトランジスタ（Ｑ１）の前記電源（Ｖｓｓ）に印加される電力の電圧を制限する電力供給抵抗（Ｒｄｄ）を更に備える、請求項１記載の回路（２００）。
【請求項３】
前記電力供給抵抗（Ｒｄｄ）が、前記電源（Ｖｓｓ）と前記ヒューズ抵抗（ＲＦ）との間に接続される、請求項２記載の回路。
【請求項４】
前記電力供給抵抗（Ｒｄｄ）、前記ダイオード（Ｚ１）及び前記ヒューズ抵抗（ＲＦ）の接合点において前記電源と接地とを接続する接地抵抗（Ｒｇ）を更に備える、請求項２記載の回路。
【請求項５】
前記出力抵抗（Ｒ６）が６０４オームの抵抗である、請求項１記載の回路。
【請求項６】
前記電力供給部（Ｖａｄ）が１４ボルトを供給する、請求項４記載の回路。
【請求項７】
前記抵抗分割器（Ｒｄ）が１．０キロオームの抵抗である、請求項４記載の回路。
【請求項８】
前記ヒューズ（Ｆ１）が６３ミリアンペアのヒューズである、請求項４記載の回路。
【請求項９】
前記接地抵抗（Ｒｏ）が４９．９キロオームの抵抗である、請求項４記載の回路。
【請求項１０】
前記ヒューズ抵抗（ＲＦ）が６．２オームの抵抗である、請求項４記載の回路。
【請求項１１】
前記ダイオード（Ｚ１）が１６ボルトのダイオードである、請求項４記載の回路。
【請求項１２】
本質的に安全な側（２０１）と、本質的に安全でない側（２０２）とを有し、前記本質的に安全な側で入力信号（Ｖｉ）を受信して、前記本質的に安全でない側での出力信号（Ｖｏ）をハイ状態とロー状態との間で切り替える回路（２００）を更に備えており、
前記光結合器（２０５）が、低インピーダンスの第１の導通状態と高インピーダンスの第２の導通状態とを有し、
前記本質的に安全な側での入力（Ｖｉ）が、複数の状態の入力信号を受信して前記光結合器を前記第１の導通状態と前記第２の導通状態との間で切り替え、
前記光結合器が、前記第１の導通状態にあるとき、高電位信号を出力（Ｖｏ）に印加するよう動作し、
前記光結合器が、前記第２の導通状態にあるとき、低電位信号を前記出力（Ｖｏ）に印加するよう動作し、
前記本質的に安全でない側が、前記電力供給部（Ｖｄｄ）と、該電力供給部（Ｖｄｄ）と前記出力（Ｖｏ）との間に接続された前記ヒューズ抵抗（ＲＦ）を含む第１の直列回路とを備えてなり、
前記光結合器が前記第２の導通状態にあるとき、前記第１の直列回路が、電流を前記出力に直列に前記出力（Ｖｏ）に印加するよう動作し、
前記品質的に安全でない側が、前記電源（Ｖｓｓ）と抵抗（Ｒｏ）の接地されていない側の前記出力（Ｖｏ）との間に接続された前記光結合器の出力側と前記抵抗分割器（Ｒｄ）とを含む第２の直列回路（Ｒｄｄ、Ｒｄ）を備え、
前記光結合器が前記第１の導通状態にあるときに、前記第２の直列回路が、前記出力抵抗（Ｒｏ）に相対的に大きい電流を印加し、前記抵抗（Ｒｏ）の前記接地されていない側における前記出力（Ｖｏ）に相対的に大きな出力信号を印加するよう動作する、
請求項１記載の回路。
【請求項１３】
前記ダイオード（Ｚ１）が前記電力供給部（Ｖｄｄ）の電圧を所定の大きさに制限し、
前記第１の直列回路が、ヒューズを介して前記電力供給部（Ｖｄｄ）の第１の側に接続された第１の側を有する前記ヒューズ抵抗（ＲＦ）を備えており、
前記ダイオードが、前記ヒューズ抵抗（ＲＦ）の第２の側に接続されたカソードと、前記抵抗（Ｒｏ）の前記接地されていない側における前記出力（Ｖｏ）に接続されたアノードとを備え、前記電力供給部（Ｖｄｄ）からの電圧の大きさを所定の大きさに制限し、
前記第２の直列回路が、前記ダイオードのカソードと接続された第１の端を有する前記電力供給抵抗（Ｒｄｄ）を備え、
前記抵抗分割器（Ｒｄ）が、前記電力供給抵抗（ＲＦ）の第２の端に接続された第１の端と、前記光結合器のコレクタに接続された第２の端とを備え、
前記光結合器が、前記抵抗（Ｒｏ）の前記接地されていない側における前記出力（Ｖｏ）に接続されたエミッタ素子を有しており、
前記光結合器が、前記第１の導通状態にあるときに高インピーダンスを呈し、もって、前記電力供給部（Ｖｄｄ）から前記第２の直列回路を通って前記抵抗（Ｒｏ）の前記接地されていない側における前記出力（Ｖｏ）に流れる電流が前記出力抵抗（Ｒｏ）における前記出力（Ｖｏ）に低電圧信号を印加し、
前記光結合器が、第２の導通状態にあるときに低インピーダンスを呈し、もって、前記電力供給部（Ｖｄｄ）から、前記ヒューズ抵抗（ＲＦ）、前記電力供給抵抗（Ｒｄｄ）、前記抵抗分割器（ＲＤＤ）及び前記光結合器を含む直列経路を通って流れる電流が前記負荷抵抗（Ｒｏ）における前記出力に相対的に高い電圧信号を印加する、
請求項１２記載の回路。
【請求項１４】
前記光結合器が、
前記回路の前記本質的に安全な側から入力信号を受け取り、前記入力信号に応答して光制御信号を生成する発光ダイオード（２０２）と、
光入力信号の生成に応答して光制御信号を受信し、前記電力供給部から前記出力への電流の大きさを制御すると共に前記負荷抵抗における電圧を制御するフォトトランジスタ（２０２）と、
を備える、請求項１２記載に回路。
【請求項１５】
本質的に安全な側（２０１）と、本質的に安全でない側（２０２）とを有し、前記本質的に安全な側で入力信号（Ｖｉ）を受信して、前記本質的に安全でない側での出力信号（Ｖｏ）をハイ状態とロー状態との間で切り替える回路（２００）であって、
低インピーダンスの第１の導通状態と高インピーダンスの第２の導通状態とを有する光結合器（２０５）と、
複数の状態の入力信号を受信して前記光結合器を前記第１の導通状態と前記第２の導通状態との間で切り替える、前記本質的に安全な側での入力（Ｖｉ）と、
を備えてなり、
前記光結合器が、前記第１の導通状態にあるとき、高電位信号（Ｖｏ）を出力に印加するよう動作し、
前記光結合器が、前記第２の導通状態にあるとき、低電位信号（Ｖｏ）を前記出力に印加するよう動作し、
前記本質的に安全でない側が、前記電力供給部（Ｖｄｄ）とデータ線に接続されるようになされた出力と、前記電力供給部（Ｖｄｄ）の第１の側と前記出力（Ｖｏ）との間に接続された前記ヒューズ抵抗（ＲＦ）を含む第１の直列回路とを備えてなり、
前記光結合器が前記第２の導通状態にあるとき、前記第１の直列回路が、負荷抵抗（Ｒｏ）に直列の前記出力（Ｖｏ）に電流を印加して前記出力（Ｖｏ）に相対的に低電位の信号を生成するよう動作し、
前記品質的に安全でない側が、前記電源（Ｖｓｓ）と前記出力（Ｖｏ）との間に接続された前記光結合器の出力側と前記抵抗（Ｒｏ）とを含む第２の直列回路（Ｒｄｄ、Ｒｄ）を備え、
前記光結合器が前記第１の導通状態にあるときに、前記第２の直列回路が、前記出力を介して前記負荷抵抗に相対的に大きい電流を印加し、前記出力（Ｖｏ）に相対的に大きな出力信号を印加するよう動作する回路（２００）。
【請求項１６】
前記電力供給部（Ｖｄｄ）の電圧を所定の大きさに制限するダイオード（Ｚ１）を更に備え、
前記第１の直列回路が、前記電力供給部（Ｖｄｄ）の第１の側に接続された第１の側を有する前記ヒューズ抵抗（ＲＦ）を備えてがおり、
前記ダイオード（Ｚ１）が、前記ヒューズ抵抗（ＲＦ）の第２の側に接続されたカソードと、前記出力（Ｖｏ）に接続されたアノードとを備え、前記電力供給部（Ｖｄｄ）からの入力電圧の大きさを所定の大きさに制限し、
前記第２の直列回路が、前記ダイオードのカソードと接続された第１の端を有する電力供給抵抗（Ｒｄｄ）を備え、
前記抵抗分割器（Ｒｄ）が、前記電力供給抵抗の第２の端に接続された第１の端と、前記光結合器の第１の素子に接続された第２の端とを備え、
前記光結合器が、前記出力（Ｖｏ）に接続された第２の素子を有しており、
前記光結合器が、前記第１の導通状態にあるときに高インピーダンスを呈し、もって、前記電力供給部（Ｖｄｄ）から前記第２の直列回路を通って前記出力（Ｖｏ）に流れる電流が前記出力抵抗（Ｒｏ）における前記出力（Ｖｏ）に低電圧信号を印加し、
前記光結合器が、第２の導通状態にあるときに前記第１の素子と前記第２の素子との間で低インピーダンスを呈し、もって、前記電力供給部（Ｖｄｄ）から、前記抵抗（ＲＦ）、前記第２の抵抗（Ｒｄ）、抵抗（ＲＤＤ）及び前記光結合器を含む直列経路を通って流れる電流が前記負荷抵抗における前記出力に相対的に高い電圧信号を印加する、
請求項１５記載の回路。
【請求項１７】
前記ダイオードがツェナーダイオードである、請求項１６記載の回路。
【請求項１８】
前記光結合器が、
前記回路の前記本質的に安全な側から入力信号を受け取り、前記入力信号（Ｖｉ）に応答して光制御信号を生成する発光ダイオード（Ｌ１）と、
前記入力信号（Ｖｉ）の生成に応答して光制御信号を受信し、前記電力供給部（Ｖｄｄ）から前記出力への電流の大きさを制御すると共に前記負荷抵抗（Ｒｏ）における電圧を制御するフォトトランジスタ（２０２）と、
を備える、請求項１５記載に回路。
【手続補正２】
【補正対象書類名】図面
【補正対象項目名】図２
【補正方法】変更
【補正の内容】
【図２】
2003529945.tif 000001